(57)【要約】      （修正有）【課題】安定した高い反射率を有し、白色有機樹脂フィルムとの密着性に優れ、固定板の固定方法が容易であり、液晶パネルを薄型化できる、直下型方式の液晶バックライト用反射板を提供する。【解決手段】液晶バックライト用反射板は、平板状の金属板４の片面に白色有機樹脂フィルム２を積層し、該金属板の他方の面に口形状の固定板５を固定してなる。金属板４の表面には、めっき層３を有する。【選択図】  図１
2008090153.tif 000002
【特許請求の範囲】
【請求項１】
金属板の片面に白色有機樹脂フィルムを積層し、もう一方の面に口形状の固定板を固定してなることを特徴とする液晶バックライト用反射板。
【請求項２】
口形状の固定板が、少なくとも１つからなる該固定板の向かい合った辺同士を連結して固定した補強材を有することを特徴とする請求項１記載の液晶バックライト用反射板。
【請求項３】
前記固定板あるいは／及び前記補強材は回路基板が設置されていることを特徴とする請求項１または２記載の液晶バックライト用反射板。
【発明の詳細な説明】
【技術分野】
【０００１】
本発明は、液晶表示装置などのバックライト光源の反射に用いる有機樹脂フィルムを積層した液晶バックライト用反射板に関する。
【背景技術】
【０００２】
液晶表示装置に用いられるバックライトによる照明方式としては、光源からの光を透明樹脂などの導光板を介して液晶表示用パネルに照射する（１）サイドライト方式、および光源からの光を液晶表示用のパネルに直接照射する（２）直下型方式が用いられている。ノート型パソコンなどの汎用の比較的小画面の液晶画面においてはサイドライト方式が、大型画面のカラーテレビなどの液晶画面においては高輝度が必要とされるため直下型方式が用いられている。
【０００３】
直下型方式を用いたバックライトユニット例の概略断面を図３に示す。本例は、液晶の背面に複数のバックライトを配設したタイプである。バックライトユニット１１において、光源１２から照射された光線は反射板１４で反射され、光拡散体１６で拡散し、光拡散体１６の上側に配設された液晶表示体１７を均一に照射する。一般に、反射板１４は基板となる金属板に光を反射する機能に優れる白色有機樹脂フィルムが積層されている。図３に示すように、反射板は複数の小型光源を囲むように底面の反射板を略円弧を繰り返す波打ち面形状とする方法もとられる。前記いずれのタイプのバックライトユニットを具備する液晶表示装置においても、その液晶表示性能はバックライト反射板の反射率が高いほど向上する。
【０００４】
このように構成されるバックライトユニットに用いる反射板の例として特許文献１では、面光源用反射部材の塗膜にクラックが入ったり剥がされたりする問題点の解決法として、アルミニウム板、アルミニウム合金板、鉄板、ステンレス板、銅板、亜鉛鋼板およびブリキ板など用い、５０〜３００μｍ厚みの白色塗膜を設けることを開示している。
さらに特許文献２では、炭酸カルシウムや酸化チタンなどの無機系充填材を含有させた多孔性のポリオレフィン系樹脂やポリエステル系樹脂シートを基板に積層して、５５０ｎｍの光の波長における９５％以上の光線反射率を得たことを開示している。
【０００５】
液晶表示においてはバックライトとして白色光源が用いられるが、それを液晶表示体へ照射する反射板も白色であることが必要であるため、反射板には白色の塗膜、白色の有機樹脂フィルム（シート）が設けられている。そして白色化のために無機充填材として、炭酸カルシウム、硫酸バリウム、水酸化アルミニウム、酸化亜鉛、酸化マグネシウム、酸化チタンなどが使用されている。また、特許文献３に開示されているように前記無機充填材を含有させたフィルムを延伸してフィルム中に空隙を生じさせた白色の多孔質有機樹脂フィルムも使用されている。
【０００６】
しかし、図３に示すように、反射効率を上げるための凹凸の形状を施すと、白色有機樹脂フィルムの積層方法、あるいは白色有機樹脂フィルムと金属板との密着性の点で問題が多い。また、反射板１４の光源１２を置かない面では、光源あるいは、図示していないが、液晶パネルと接続している各種の回路基板等を設置する必要があり、更に、該回路基板等を固定する固定板が必要である。直下型方式では、反射板１４が凹凸の形状をしているため、固定板を反射板１４に固定する方法が容易ではなく、また、凹凸の形状の分だけ液晶パネルが厚くなる問題がある。
このように、図３に示す直下型方式では、反射効率が良い代わりに、白色有機樹脂フィルムを積層する方法あるいは固定板の固定方法、液晶パネルの薄型化の点で問題がある。
【０００７】
本出願に関する先行技術文献情報として次のものがある。
【特許文献１】特開２００５―１５７２９６号公報
【特許文献２】特開平０７−２３０００４号公報
【特許文献３】特開２００２−２５４５５８号公報
【発明の開示】
【発明が解決しようとする課題】
【０００８】
以上説明したように、液晶表示装置のバックライト用反射板としては安定した高い反射率が求められている状況にあり、白色有機樹脂フィルムとの密着性に優れ、固定板の固定方法が容易であり、かつ液晶パネルを薄型化した直下型方式の液晶バックライト用反射板を得ることを課題とする。
【課題を解決するための手段】
【０００９】
本発明の液晶バックライト用反射板は、金属板の片面に白色有機樹脂フィルムを積層し、もう一方の面に口形状の固定板を固定してなることを特徴とする（請求項１）。この場合、口形状の固定板が、少なくとも１つからなる該固定板の向かい合った辺同士を連結して固定した金属板を有することが望ましい（請求項２）。また、前記固定板あるいは／及び前記補強材は回路基板が設置されていることが望ましい（請求項３）。
【発明の効果】
【００１０】
本発明の直下型方式の液晶バックライト用反射板は、平板状の金属板の片面に光を反射する白色有機樹脂フィルムを積層し、該金属板のもう一方の面に回路基板を設置し、該金属板の強度を補強する口形状の固定板を固定しているので、白色樹脂フィルムを積層しやすく、白色樹脂フィルムとの密着性に優れ、液晶パネルの薄型化が可能である。
【発明を実施するための最良の形態】
【００１１】
以下、本発明の液晶バックライト用反射板の実施形態について詳しく説明する。図1は本発明の液晶バックライト用反射板の断面図である。液晶バックライト用反射板１は金属板４の表面にめっき層３（なくても良い）、さらにその上に積層した白色有機樹脂フィルム２を具備している。白色有機樹脂フィルム２を積層していない面では、回路基板７を設置し、かつ金属板４の強度を補強する口形状の固定板５を固定している。口形状の固定板５は、少なくとも１つからなり、該固定板の向かい合った辺同士を連結して固定する補強材６を有していても良い。この補強材６には、回路基板７を固定することができる。従来のように、金属板４は表面が凹凸形ではなく、平面なので、回路基板７を設置するための固定板５は容易に金属板４に固定でき、白色有機樹脂フィルム２も容易に積層できる。
また、金属板４は表面が凹凸形状でないぶんだけ、液晶パネルを薄型にできる。
【００１２】
本発明の液晶バックライト用反射板１においては、金属板として表面処理鋼板、ステンレス板、アルミニウム板あるいはアルミニウム合金板が使用される。適用される表面処理鋼板としては、反射板としての折り曲げ加工、強度に耐えるものであれば良く、鋼板の組成による種類として特に限定されないが、加工性の点からは含有炭素量として概ね０．１２質量％以下の低炭素鋼板が好適である。不純物が比較的低い低炭素鋼板では、その表面に公知の亜鉛、亜鉛合金あるいは錫などの公知のめっきを施すか、あるいは該めっき表面に化成処理を施して、表面処理鋼板を得る。化成処理としては、クロメート処理あるいは、リン酸塩処理などの公知の処理が適用できる。ステンレス板としてはＪＩＳ  Ｇ４３０５に規定される材料が使用でき、ＳＵＳ３０４に代表される１８−８ステンレスやＳＵＳ４３０に代表されるクロム１８ステンレスは加工性も良好で好適に使用される。アルミニウム板あるいはアルミニウム合金板は、ＪＩＳ  Ｈ４０００に規定される材料などが使用できる。ステンレス板、アルミニウム板あるいはアルミニウム合金板の場合、表面処理を施さなくても良い。
【００１３】
反射板の素材表面処理鋼板に適用する亜鉛めっき、亜鉛合金または錫めっきは、一般的に実施されているめっき浴およびめっき条件が使用される。めっきとしては、電気めっき方法、溶融めっき方法あるいは真空蒸着方法が適用できる。本実施形態において亜鉛めっきおよび錫めっきは次に述べる方法で行った。鋼板には表面汚れの程度に応じてアルカリ脱脂、酸洗の前処理を行う。亜鉛めっき、亜鉛合金または錫めっきは、公知のめっき浴を適用することができる。例えば、硫酸浴、塩化浴、フェロスタン浴（錫めっき浴）などが適用できる。亜鉛めっきの場合、めっき層の緻密性、耐食性の向上を目的として添加されるコバルト、ニッケルやその他の公知の金属をめっき浴に含有させても良い。亜鉛めっき付着量は、少なくとも５ｇ／ｍ２が望ましい。５ｇ／ｍ２未満では、耐食性の点で望ましくない。上限は特性面で特に限定ないが、経済性の点で３００ｇ／ｍ２が望ましい。
錫めっきの場合、錫めっき付着量は、少なくとも２ｇ／ｍ２が望ましい。上限は特性面で特に限定ないが、経済性の点で２０ｇ／ｍ２が望ましい。
以上説明した亜鉛めっき、錫めっきの表面に貯蔵中における酸化変色を抑制するために公知のクロム系、リン酸系、シランカップリング系の後処理を施しても良い。
【００１４】
ついで、白色有機樹脂フィルム２を被覆するが、金属板４の表面に積層する白色有機樹脂フィルム２としては、無延伸あるいは延伸したポリエステルフィルムやオレフィンフィルムが使用され、白色化のために酸化チタン、硫酸バリウム、炭酸カルシウム、酸化珪素、酸化亜鉛などの無機充填材を加えたものが使用される。さらに蛍光増白剤を併用したものも使用できる。これらの白色顔料は通常、樹脂中に２０〜８０重量％含有させているが、フィルム自体の反射率として８５％以上（測定光線の波長：５５０μｍ）あれば本発明の積層樹脂フィルムとして使用できる。白色有機樹脂フィルム２は、金属板４との界面に接着剤を介して、金属板４に積層しても良い。
一般に、このように白色有機樹脂フィルム２を積層した後、金属板４は、その外周付近に光拡散体１６と液晶表示部１７との収納できるような枠を形成するように９０°折曲げ加工を施して液晶に組み込めるようにする。
【００１５】
図２に示すように、金属板の白色樹脂フィルム２を被覆しない面には、口形状の固定板５を設置する。固定板５と金属板４とはビス、ボルト・ナット、溶接あるいは接着剤で接着する。また、図２に示すように、口形状の固定板５の向かい合った辺同士を補強材６で連結して固定しても良い。補強材６は少なくとも１つあれば良い。図２に示すように、こららの補強材６に、光源１２あるいは液晶パネルと導線でつないだ回路基板７を固定する。回路基板７は、補強材６にビス、ボルト・ナットあるいは接着剤を用いて固定する。
また、固定板５の外側には、金属板４、光拡散体１６と液晶表示部１７との収納できるような枠を有する構造としても良く、この場合、金属板４の外周近辺には、光拡散体１６と液晶表示部１７との収納できるような枠を形成する折曲げ加工を施さなくても良い。
【産業上の利用可能性】
【００１６】
本発明の直下型液晶バックライト用反射板は、平面状の金属板の片面に白色有機樹脂フィルム２を積層し、金属板のもう一方の面に口形状の固定板５を固定するため、白色有機樹脂フィルム２は金属板４に積層しやすく、金属板４と白色有機樹脂フィルム２との密着性に優れる。金属板４が平面状であるので、口形状の固定板５を固定しやすい。口形状の固定板５が、少なくとも１つからなり、固定板の向かい合った辺同士を連結して固定した補強材６を用いることにより、金属板の板厚を薄くすることができる。すなわち軽量化が容易である。口形状の固定板５あるいはその補強材６に、複数の小型光源１２と導線でつながった回路基板７を設置することができる。
また、本発明の直下型液晶バックライト用反射板は、平面状の金属板を使っているため、光の反射効率を向上させるために凹凸加工を施した金属板に比べて、薄型化が容易である。特に、５０Ｖ以上の大型テレビにおいて、利点が大きい。
【図面の簡単な説明】
【００１７】
【図１】本発明に係る液晶バックライト用反射板の部分断面図である。
【図２】本発明に係る液晶バックライト用反射板の平面図である。
【図３】直下型方式を用いたバックライトユニット例の概略断面図である。
【符号の説明】
【００１８】
１    ・・・  液晶バックライト用反射板
２    ・・・  白色有機樹脂フィルム
３    ・・・  めっき層
４    ・・・  金属板
５    ・・・  固定板
６    ・・・  補強材
７    ・・・  回路基板
１１  ・・・  バックライトユニット
１２  ・・・  光源
１３  ・・・  反射体
１４  ・・・  反射板
１６  ・・・  光拡散体
１７  ・・・  液晶表示体
１８  ・・・  反射板の曲げ加工部
【図１】
2008090153.tif 000003
【図２】
2008090153.tif 000004
【図３】
2008090153.tif 000005